(57)【特許請求の範囲】
【請求項１】
回路基板の実装面上に配され該実装面に対して直角な方向をコネクタ挿抜方向として相手コネクタが挿抜される回路基板用電気コネクタであって、
上記実装面に対して平行な一方向を配列方向として配列された端子及びロック金具と、
該端子及びロック金具を配列保持するハウジングとを有し、
ロック金具が、上記配列方向でのハウジングの端部に保持され相手コネクタに対してコネクタ抜出方向でロック可能となっている回路基板用電気コネクタにおいて、
ハウジングは、少なくとも一方の上記端部にて二つのロック金具を、上記配列方向に対して直角なコネクタ幅方向で隣接した位置で保持しており、
ロック金具は、金属板部材を屈曲して作られており、上記実装面に対して平行な板部で形成される基部と、該基部のコネクタ幅方向での両端部からそれぞれ回路基板側へ向けて延びる脚部と、上記基部の縁部に設けられた端ロック部とを有し、
上記脚部は、回路基板及びハウジングの少なくとも一方に固定されるようになっていることを特徴とする回路基板用電気コネクタ。
【請求項２】
回路基板の実装面上に配され該実装面に対して直角な方向をコネクタ挿抜方向として相手コネクタが挿抜される回路基板用電気コネクタであって、
上記実装面に対して平行な一方向を配列方向として配列された端子及びロック金具と、
該端子及びロック金具を配列保持するハウジングとを有し、
ロック金具が、上記配列方向でのハウジングの端部に保持され相手コネクタに対してコネクタ抜出方向でロック可能となっている回路基板用電気コネクタにおいて、
ハウジングは、少なくとも一方の上記端部にて二つのロック金具を、上記配列方向に対して直角なコネクタ幅方向で隣接した位置で保持しており、
ロック金具は、金属板部材を屈曲して作られており、上記実装面に対して平行な板部で形成される基部と、該基部のコネクタ幅方向での少なくとも一方の端部及び該基部の縁部からそれぞれ回路基板側へ向けて延びる脚部と、上記基部の縁部から延びる脚部に設けられた端ロック部とを有し、
上記脚部は、回路基板及びハウジングの少なくとも一方に固定されるようになっていることを特徴とする回路基板用電気コネクタ。
【請求項３】
各ロック金具は、少なくとも一つの脚部の回路基板側に位置する端部から延びる固定部を有し、該固定部が回路基板の実装面に固定されるようになっていることとする請求項１又は請求項２に記載の回路基板用電気コネクタ。
【請求項４】
各ロック金具は、基部のコネクタ幅方向での外側に位置する端部から延びる脚部を有し、該脚部の板面に側方ロック部が形成されていることとする請求項１ないし請求項３のいずれか一つに記載の回路基板用電気コネクタ。
【請求項５】
各ロック金具は、基部のコネクタ幅方向での外側に位置する端部から延びる脚部を有し、該脚部よりも配列方向で内側に位置して該脚部と並んで設けられた側板部を有し、該側板部の板面に側方ロック部が形成されていることとする請求項１ないし請求項４のいずれか一つに記載の回路基板用電気コネクタ。
【請求項６】
各ロック金具は、基部のコネクタ幅方向での外側に位置する端部から延びる脚部を有し、該脚部よりも配列方向で内側に位置して該脚部と並んで設けられた側板部と、該側板部からコネクタ幅方向に延びて設けられた側方ロック部とを有していることとする請求項１ないし請求項４のいずれか一つに記載の回路基板用電気コネクタ。
【請求項７】
ロック金具は、相手コネクタに設けられた対応ロック部を上記ロック金具とのロック位置へ案内するためのロック案内面が形成されており、
該ロック案内面は、ハウジングの表面よりも突出しているか、あるいは該表面と同一レベル面を形成していることとする請求項１ないし請求項６のいずれか一つに記載の回路基板用電気コネクタ。
【請求項８】
ハウジングは、配列方向で複数の端子を配列保持しており、
複数の端子は、信号端子と、上記配列方向で該信号端子の外側に位置する電源端子とを有し、
ロック金具は、上記配列方向で上記電源端子の外側に位置していることとする請求項１ないし請求項７のいずれか一つに記載の回路基板用電気コネクタ。
【発明の詳細な説明】
【技術分野】
【０００１】
本発明は、回路基板の実装面上に配され該実装面に対して直角な方向をコネクタ挿抜方向として相手コネクタが挿抜される回路基板用電気コネクタに関し、特に、相手コネクタに対してコネクタ抜出方向でロック可能なロック金具を有する回路基板用電気コネクタに関する。
【背景技術】
【０００２】
この種の回路基板用電気コネクタとして、例えば、特許文献１に記載のレセプタクルコネクタが知られている。特許文献１では、コネクタの長手方向（後述の端子配列方向）に延びる一対の側壁及びこれに対し直角な短手方向（コネクタ幅方向）に延びる一対の端壁から成る周壁を有するハウジングと、該ハウジングの側壁で上記長手方向を端子配列方向として配列保持される複数の端子と、該周壁に取り付けられるシールド部材とを備えている。該シールド部材は、側壁に沿って延びる一対の長手用シールド部材と端壁に沿って延びる一対の短手用シールド部材とを有し、該長手用シールド部材と該短手用シールド部材は互いの端部同士で接触しており、全体として枠状をなしてハウジングの周壁に取り付けられている。上記短手用シールド部材には、プラグコネクタ（相手コネクタ）とのロックのためのロック部（後述の板ばね部）が設けられている。
【０００３】
上記短手用シールド部材は、金属板部材を屈曲して作られており、ハウジングの端壁の上面に沿ってコネクタ幅方向全域にわたって延びる上面部と、コネクタ幅方向に延びる該上面部の外側縁部（端子配列方向で外側に位置する縁部）から下方へ延びる垂下片と、上記上面部の内側縁部（端子配列方向で内側に位置する縁部）から下方へ延びる二つの板ばね部（ロック部）と、上記上面部のコネクタ幅方向での両端部から下方へ延びる側面部とを有している。上記板ばね部は、プラグコネクタに設けられた対応ロック部としての爪部とコネクタ抜出方向で係止するための接触凸部が、端子配列方向内方へ突出するように屈曲形成されている。
【０００４】
上記短手用シールド部材は、ハウジングの端壁そして側壁にそれぞれ形成された溝部へ垂下片そして側面部が圧入されることによりハウジングに取り付けられる。また、該短手用シールド部材は、コネクタ幅方向での中央位置で垂下片の下縁から端子配列方向外方へ延びるテール部と側面部の下端に形成された接続端部とで、回路基板の実装面に半田で固定される。
【先行技術文献】
【特許文献】
【０００５】
【特許文献１】特開２００８−２４３７０３
【発明の概要】
【発明が解決しようとする課題】
【０００６】
特許文献１では、相手コネクタたるプラグコネクタをレセプタクルコネクタから抜出する際に、該レセプタクルコネクタの短手用シールド部材の接触凸部（ロック部）に対してプラグコネクタの爪部（対応ロック部）がコネクタ抜出方向（上方）で係止し、その結果、上記短手用シールド部材の上面部に対しても上方へ向けた外力が作用する。上記短手用シールド部材の上面部は、コネクタ幅方向全域にわたる長い寸法で形成されているので、上記外力を受けると、上記上面部が上方へ向けて凸湾曲するように撓み変形しやすい。このような上面部の撓み変形は、ロック部同士の不用意な外れや短手用シールド部材自体の損傷に繋がるおそれがある。
【０００７】
また、特許文献１の短手用シールド部材では、コネクタ幅方向での中央位置に設けられたテール部が回路基板に固定されることにより、上述した上面部の撓み変形に対抗するようになっている。しかし、これは該テール部に、上記撓み変形に対抗する力により大きな応力を生ずることを意味している。
【０００８】
本発明は、このような事情に鑑み、コネクタ同士のロックを確実なものとできる回路基板用電気コネクタを提供することを課題とする。
【課題を解決するための手段】
【０００９】
本発明に係る回路基板用電気コネクタは、回路基板の実装面上に配され該実装面に対して直角な方向をコネクタ挿抜方向として相手コネクタが挿抜される回路基板用電気コネクタであって、上記実装面に対して平行な一方向を配列方向として配列された端子及びロック金具と、該端子及びロック金具を配列保持するハウジングとを有し、ロック金具が、上記配列方向でのハウジングの端部に保持され相手コネクタに対してコネクタ抜出方向でロック可能となっている。
【００１０】
＜第一発明＞
かかる回路基板用電気コネクタにおいて、第一発明では、ハウジングは、少なくとも一方の上記端部にて二つのロック金具を、上記配列方向に対して直角なコネクタ幅方向で隣接した位置で保持しており、ロック金具は、金属板部材を屈曲して作られており、上記実装面に対して平行な板部で形成される基部と、該基部のコネクタ幅方向での両端部からそれぞれ回路基板側へ向けて延びる脚部と、上記基部の縁部に設けられた端ロック部とを有し、上記脚部は、回路基板及びハウジングの少なくとも一方に固定されるようになっていることを特徴としている。
【００１１】
＜第二発明＞
また、かかる回路基板用電気コネクタにおいて、第二発明では、ハウジングは、少なくとも一方の上記端部にて二つのロック金具を、上記配列方向に対して直角なコネクタ幅方向で隣接した位置で保持しており、ロック金具は、金属板部材を屈曲して作られており、上記実装面に対して平行な板部で形成される基部と、該基部のコネクタ幅方向での少なくとも一方の端部及び該基部の縁部からそれぞれ回路基板側へ向けて延びる脚部と、上記基部の縁部から延びる脚部に設けられた端ロック部とを有し、上記脚部は、回路基板及びハウジングの少なくとも一方に固定されるようになっていることを特徴としている。
【００１２】
第一及び第二発明では、ハウジングの上記配列方向での各端部にて、コネクタ幅方向で隣接した位置で二つのロック金具が保持されている。したがって、ハウジングのコネクタ幅方向全域にわたり一つのロック金具が設けられている場合と比較して、コネクタ幅方向でのロック金具の一つ当たりの寸法が小さい。つまり、コネクタ幅方向でロック金具の基部が短くなり、これは、基部における撓み変形時の腕長が短いことを意味する。したがって、相手コネクタに設けられた対応ロック部がロック金具の端ロック部に係止して、該ロック金具の基部にコネクタ抜出方向へ向けた外力が作用しても、該基部は板厚方向に撓み変形しにくい。また、上述したように基部の撓み変形時における該基部の腕長が短いと、固定された脚部で生じる応力が小さくなる。この結果、ロック部同士の係止状態を確実に維持できる。
【００１３】
第一及び第二発明において、各ロック金具は、少なくとも一つの脚部の回路基板側に位置する端部から延びる固定部を有し、該固定部が回路基板の実装面に固定されるようになっていてもよい。このようにロック金具に上記固定部を設けることにより、実装面に対する上記固定部での実装面積を大きく確保でき、ロック金具を回路基板に対して確実に固定することができる。
【００１４】
第一及び第二発明において、各ロック金具は、基部のコネクタ幅方向での外側に位置する端部から延びる脚部を有し、該脚部の板面に側方ロック部が形成されていてもよい。このように、端ロック部に加えて、側方ロック部をも設けることにより、端ロック部の負担が軽減され、基部の撓み変形をより確実に防止できる。また、コネクタ嵌合状態にて、相手コネクタを上記配列方向で傾斜させるような抜出力に対しては主に端ロック部で対抗でき、そして相手コネクタをコネクタ幅方向で傾斜させるような抜出力に対しては主に側方ロック部で対抗できる。この結果、コネクタの不用意な抜けをより確実に防止できる。
【００１５】
第一及び第二発明において、各ロック金具は、基部のコネクタ幅方向での外側に位置する端部から延びる脚部を有し、該脚部よりも配列方向で内側に位置して該脚部と並んで設けられた側板部を有し、該側板部の板面に側方ロック部が形成されていてもよい。また、第一及び第二発明において、各ロック金具は、基部のコネクタ幅方向での外側に位置する端部から延びる脚部を有し、該脚部よりも配列方向で内側に位置して該脚部と並んで設けられた側板部と、該側板部からコネクタ幅方向に延びて設けられた側方ロック部とを有していてもよい。
【００１６】
第一及び第二発明において、ロック金具は、相手コネクタに設けられた対応ロック部を上記ロック金具とのロック位置へ案内するためのロック案内面が形成されており、該ロック案内面は、ハウジングの表面よりも突出しているか、あるいは該表面と同一レベル面を形成していてもよい。
【００１７】
ハウジングは、樹脂等で作られることが多く、通常、ロック金具よりも強度が低い。上述のように上記ロック案内面をハウジングの表面よりも突出させることにより、あるいは該表面と同一レベル面をなすようにすることにより、コネクタ嵌合過程にて、相手コネクタの対応ロック部は、強度の高いロック金具のロック案内面に摺接して上記ロック位置へ案内されることとなる。したがって、ハウジングには上記対応ロック部が摺接することがないので、該ハウジングの損傷を回避することができる。
【００１８】
本発明において、ハウジングは、配列方向で複数の端子を配列保持しており、複数の端子は、信号端子と、上記配列方向で該信号端子の外側に位置する電源端子とを有し、ロック金具は、上記配列方向で上記電源端子の外側に位置していてもよい。
【発明の効果】
【００１９】
本発明の回路基板用電気コネクタでは、二つのロック金具がコネクタ幅方向で配列して設けられているので、ハウジングのコネクタ幅方向全域にわたり一つのロック金具が設けられている場合と比較して、コネクタ幅方向でのロック金具の一つ当たりの寸法が小さい。したがって、ロック金具の基部が板厚方向に撓みにくくなるとともに、固定された脚部で生じる応力が小さくなるので、コネクタ同士のロック状態を確実に維持できる。
【図面の簡単な説明】
【００２０】
【図１】本発明の第一実施形態に係るレセプタクルコネクタ及びこれに対して上方から嵌合されるプラグコネクタの斜視図であり、コネクタ嵌合前の状態を示している。
【図２】（Ａ）は図１のレセプタクルコネクタの配列方向に対して直角な面での断面斜視図、（Ｂ）は図１のプラグコネクタの配列方向に対して直角な面での断面斜視図であり、それぞれ配列方向中央位置での断面を示しており、左半部にてハウジングを省略した状態を示し、右半部の下方位置に該右半部で保持されるロック金具を示している。
【図３】（Ａ）は図１のプラグコネクタを上下反転させて示した斜視図であり、（Ｂ）は（Ａ）のプラグコネクタのハウジングを省略して示した斜視図である。
【図４】図１のレセプタクルコネクタ及びプラグコネクタの配列方向に対して直角な面での断面図であり、信号端子の位置での断面を示しており、（Ａ）はコネクタ嵌合前の状態、（Ｂ）はコネクタ嵌合状態を示している。
【図５】図１のレセプタクルコネクタ及びプラグコネクタの配列方向に対して直角な面での断面図であり、のロック金具位置での断面を示しており、（Ａ）はコネクタ嵌合前の状態、（Ｂ）はコネクタ嵌合状態を示している。
【図６】図１のレセプタクルコネクタ及びプラグコネクタのコネクタ幅方向に対して直角な面での断面図であり、コネクタ幅方向中央位置での断面を示しており、（Ａ）はコネクタ嵌合前の状態、（Ｂ）はコネクタ嵌合状態を示している。
【図７】本発明の第二実施形態に係るレセプタクルコネクタ及びこれに対して上方から嵌合されるプラグコネクタの斜視図であり、コネクタ嵌合前の状態を示している。
【図８】（Ａ）は図７のレセプタクルコネクタの配列方向に対して直角な面での断面斜視図、（Ｂ）は図７のプラグコネクタの配列方向に対して直角な面での断面斜視図であり、それぞれ配列方向中央位置での断面を示しており、左半部にてハウジングを省略した状態を示し、右半部の下方位置に該右半部で保持されるロック金具を示している。
【図９】（Ａ）は図７のプラグコネクタを上下反転させて示した斜視図であり、（Ｂ）は（Ａ）のプラグコネクタのハウジングを省略して示した斜視図である。
【図１０】図７のレセプタクルコネクタ及びプラグコネクタのコネクタ幅方向に対して直角な面での断面図であり、コネクタ幅方向中央位置での断面を示しており、（Ａ）はコネクタ嵌合前の状態、（Ｂ）はコネクタ嵌合状態を示している。
【発明を実施するための形態】
【００２１】
以下、添付図面にもとづき、本発明の実施形態について説明する。
【００２２】
＜第一実施形態＞
図１は、本発明の第一実施形態に係るレセプタクルコネクタ及びこれに対して上方から嵌合される相手コネクタとしてのプラグコネクタの斜視図であり、コネクタ嵌合前の状態を示している。本実施形態におけるレセプタクルコネクタ１及びプラグコネクタ２は、それぞれ異なる回路基板（図示せず）の実装面上に配される回路基板用電気コネクタであり、各回路基板の実装面に対して直角な方向（図１での上下方向）を挿抜方向とするコネクタ組立体を構成している。本実施形態では、レセプタクルコネクタ１に対するプラグコネクタ２の嵌合方向、すなわち図１でプラグコネクタ２を下方へ向けて移動させる方向を「コネクタ嵌合方向」とし、その反対方向、すなわち図１での上方へ向かう方向を「コネクタ抜出方向」として説明する。また、プラグコネクタ２に対する相手コネクタであるレセプタクルコネクタ１の嵌合方向および抜出方向は、それぞれ上述のプラグコネクタ２の「コネクタ嵌合方向」および「コネクタ抜出方向」の反対方向になる。
【００２３】
［レセプタクルコネクタ１の構成］
レセプタクルコネクタ１は、図１に見られるように、略直方体外形をなすハウジング１０と、上記実装面に対して平行をなすハウジング１０の長手方向を配列方向として該ハウジング１０に一体モールド成形により配列保持される複数のレセプタクル信号端子２０、レセプタクル電源端子３０及びレセプタクルロック金具４０とを有している。以下、レセプタクル信号端子２０とレセプタクル電源端子３０とを特に区別する必要がない場合には、これらを「レセプタクル端子２０，３０」と総称する。また、上記配列方向の「配列」については、ハウジング１０の短手方向から見たときに、レセプタクル端子２０、３０及びレセプタクルロック金具４０が上記長手方向で互いに異なる位置に設けられていればよく、該長手方向から見たときに、レセプタクル端子２０、３０及びレセプタクルロック金具４０が同位置に設けられていることまでは要求されない。
【００２４】
図１に見られるように、レセプタクル信号端子２０は、上記配列方向でのハウジング１０の中央寄り範囲にて、コネクタ幅方向で対称な二列をなして設けられており、各列で二本配列されている。レセプタクル電源端子３０は、上記配列方向でのレセプタクル信号端子２０の配列範囲に対して両方の外側位置に設けられている。また、レセプタクルロック金具４０は、上記配列方向でのレセプタクル端子２０，３０の配列範囲に対して両方の外側位置でハウジング１０の端部に設けられている。以下、ハウジング１０について、上記配列方向でのレセプタクル端子２０，３０の配列範囲の外側の部分を「端部」という。レセプタクルコネクタ１は、図１で示される姿勢で、回路基板上に配置実装される。
【００２５】
図１に見られるように、ハウジング１０は、樹脂等の電気絶縁材で作られており、取付対象面である回路基板（図示せず）の実装面に対して平行な底面をもち上記配列方向を長手方向として延びる底壁１１（図２（Ｂ）参照）と、上記配列方向に延びるとともに底壁１１から上方へ起立する突壁１２と、底壁１１から起立し突壁１２を囲む周壁１３とを有している。該周壁１３は、互いに対向して上記配列方向に延びる二つの側壁１４と、該二つの側壁１４の端部同士を連結し上記配列方向に対して直角なコネクタ幅方向（ハウジング１０の短手方向）に延びる二つの端壁１５とを有している。周壁１３と突壁１２との間で上方に開口した四角環状の空間は、プラグコネクタ２の嵌合部を受け入れるための受入部１６を形成している。
【００２６】
底壁１１は、コネクタ幅方向での中央位置かつ上記配列方向での端部位置に、底面から没入した底凹部１１Ａが形成されている。突壁１２は、上記配列方向でのレセプタクル信号端子２０に対応する位置に信号端子溝部１２Ａが、そしてレセプタクル電源端子３０に対応する位置に電源端子溝部１２Ｂが、突壁１２の側面（コネクタ幅方向に対して直角な面）から没するとともに上下方向に延びて貫通形成されている（図４（Ａ），（Ｂ）参照）。以下、信号端子溝部１２Ａ及び電源端子溝部１２Ｂを、特に区別する必要がないときには「端子溝部１２Ａ，１２Ｂ」と総称する。端子溝部１２Ａ，１２Ｂは、レセプタクル端子２０，３０にそれぞれ形成された後述の弾性腕部２２，３２を収容している。図１に見られるように、電源端子溝部１２Ｂは信号端子溝部よりも溝幅寸法（上記配列方向での寸法）が大きく形成されている。
【００２７】
図１に見られるように、ハウジング１０は、上記配列方向での端部が、レセプタクル端子２０，３０の配列範囲の部分よりも高く形成されている。側壁１４の内面（受入部１６側に位置する面）の上部には、コネクタ幅方向内方へ向うにつれて下方へ傾斜する側方案内面１４Ａが形成されている。該側方案内面１４Ａは、コネクタ嵌合過程にてプラグコネクタ２をコネクタ幅方向で受入部１６内へ向けて案内する。また、該側壁１４の内面には、後述するレセプタクルロック金具４０の側方ロック部４８の下方位置に、該内側面から没した側方凹部１４Ｂが形成されており、コネクタ嵌合状態にてプラグロック金具７０の側方被ロック部７３Ａを受け入れるようになっている（図４（Ｂ）参照）。
【００２８】
端壁１５の内面（受入部１６側に位置する面）の上部には、配列方向内方へ向うにつれて下方へ傾斜する端案内面１５Ａが形成されている。図１に見られるように、該端案内面１５Ａの上縁及び下縁は、側方案内面１４Ａの上縁及び下縁と同じ高さに位置している。該端案内面１５Ａは、コネクタ嵌合過程にてプラグコネクタ２を上記配列方向で受入部１６内へ向けて案内する。また、該端壁１５の内面には、後述するプラグロック金具７０の端被ロック部７９の下方位置に、該内面から没した端凹部１５Ｂが形成されており、コネクタ嵌合状態にてプラグロック金具７０の端被ロック部７９を受け入れるようになっている（図６（Ｂ）参照）。
【００２９】
図２（Ａ）は図１のレセプタクルコネクタ１の配列方向に対して直角な面での断面斜視図であり、図２（Ｂ）は図１のプラグコネクタ２の配列方向に対して直角な面での断面斜視図である。この図２（Ａ），（Ｂ）では、上記配列方向中央位置での断面を示しており、左半部にてハウジングを省略した状態を示し、右半部の下方位置に該右半部で保持されるロック金具を示している。また、図２（Ａ），（Ｂ）の左半部では、説明の便宜上、図１に比べて端子同士の間隔及び端子とロック金具との間隔を大きくして示している。
【００３０】
以下、図１と図２（Ｂ）に基いて、レセプタクル信号端子２０、レセプタクル電源端子３０及びレセプタクルロック金具４０の構成を説明する。レセプタクル信号端子２０は、帯状の金属板条片を板厚方向で屈曲して作られていて、ハウジングの底壁１１に沿ってコネクタ幅方向に延びる基底部２１と、該基底部２１の突壁１２側の端部から上方へ向けて延びる弾性腕部２２と、基底部２１の側壁１４側の端部で上方へ向けて延びてから下方へ向けて折り返された逆Ｕ字状の被保持部２３と、該被保持部２３の下端からコネクタ幅方向外方へ向けて延びる接続部２４とを有している。
【００３１】
基底部２１は、コネクタ幅方向で受入部１６を含む範囲にわたって延びており、底壁１１に一体モールド成形により保持されている（図４（Ａ）をも参照）。また、該基底部２１の上面は、受入部１６内に向けて露呈している。弾性腕部２２は、突壁１２の信号端子溝部１２Ａ内に収容されており、その板厚方向（コネクタ幅方向）で弾性変位可能となっている。該弾性腕部２２は、その自由端側たる上端側部分が側壁１４に向けて凸湾曲して、後述するプラグコネクタ２のプラグ信号端子６０と接触するための接触突部２２Ａとして形成されている。弾性腕部２２は、自由状態にて、接触突部２２Ａの湾曲頂部がハウジング１０の信号端子溝部１２Ａから突出して受入部１６内に位置している（図５（Ａ）参照）。
【００３２】
被保持部２３は、基底部２１の側壁１４側の端部から該側壁１４の内面に沿って上方へ向けて延びる内側腕部２３Ａと、該内側腕部２３Ａの上端から連続して該内側腕部２３Ａよりもコネクタ幅方向外側位置で下方へ向けて折り返される移行部２３Ｂと、該移行部２３Ｂを経て下方へ向けて延びる外側腕部２３Ｃとを有しており、側壁１４に一体モールド成形により保持されている。
【００３３】
内側腕部２３Ａは、受入部１６内に向けて露呈して、その上端寄り位置にて接触突部２２Ａと対向するように突壁１２側へ向けて突出する突起状のロック突部２３Ａ−１が形成されている。該ロック突部２３Ａ−１は、例えば、プレス加工等により形成されており、その幅寸法（上記配列方向での寸法）は内側腕部２３Ａの幅寸法より小さくなっている。該ロック突部２３Ａ−１は、後述するプラグコネクタ２のプラグ信号端子６０の被ロック段部６１Ａ−１に係止することにより、コネクタ嵌合状態を維持してコネクタの抜けを防止するとともに、該被ロック段部６１Ａ−１との係止時に接触して電気的に導通することにより、上記接触突部２２Ａを補助する役割も果たす。
【００３４】
移行部２３Ｂは、上方へ向けて凸湾曲しており、該移行部２３Ｂの上面が側壁１４から露呈している。外側腕部２３Ｃは、側壁１４から露呈することなく該側壁１４内に埋設保持されている（図５（Ａ）をも参照）。該外側腕部２３Ｃは、図２（Ｂ）によく見られるように、下部が上部よりも幅寸法（上記配列方向での寸法）が小さくなっている。
【００３５】
接続部２４は、基底部２１と同じ高さ位置で外側腕部２３Ｃの下端からコネクタ幅方向外方へ向けて直状に延びており、自由端側部分がハウジング外へ延出している。該接続部２４は、回路基板の対応回路部に半田接続されるようになっている。
【００３６】
本実施形態では、レセプタクル電源端子３０については、レセプタクル信号端子２０の各部に対応する部分に、該レセプタクル信号端子２０における符号に「１０」を加えた符号を付けている。該レセプタクル電源端子３０は、既述のレセプタクル信号端子２０全体の幅寸法（上記配列方向での寸法）を大きくした形状をなしている。また、レセプタクル電源端子３０の内側腕部３３Ａには、二つのロック突部３３Ａ−１が該内側腕部３３Ａの幅方向に配列形成されている。
【００３７】
また、内側腕部３３Ａは、上端側の湾曲部分（上記二つのロック突部３３Ａ−１よりも上方に位置する部分）に、後述のプラグロック金具７０に設けられた対応ロック部としての側方被ロック部７４Ａをロック突部３３Ａ−１とのロック位置へ案内するための側方ロック案内面３３Ａ−２が形成されている。該側方ロック案内面３３Ａ−２は、ハウジング１０の側壁１４の上部の表面と相俟って一つの湾曲面を形成している。換言すると、側方ロック案内面３３Ａ−２は側壁１４の上部の表面と同一レベル面を形成するように露呈している。
【００３８】
レセプタクルロック金具４０は、図２（Ｂ）によく見られるように、上記配列方向でのハウジング１０の各端部に二つずつ設けられている。具体的には、二つのレセプタクルロック金具４０は、ハウジング１０の各端部にて、該コネクタ幅方向で互いに対称な姿勢をなして隣接している。
【００３９】
レセプタクルロック金具４０は、図２（Ｂ）に見られるように、金属板部材を板厚方向に屈曲して作られており、コネクタ幅方向に延びる基部４１と、該基部４１のコネクタ幅方向内側の端部から下方へ延びる内側脚部４２と、基部４１のコネクタ幅方向外側の端部から下方へ延びる外側脚部４３と、該外側脚部４３よりも上記配列方向内側に位置する側板部４４と、上記配列方向に延び外側脚部４３及び側板部４４の下部同士を連結する連結部４５と、外側脚部４３、連結部４５及び側板部４４の下縁からコネクタ幅方向外方へ延びる固定部４６と、基部４１の縁部に設けられた端ロック部４７と、側板部４４の上縁に設けられた側方ロック部４８とを有している。
【００４０】
このように本実施形態では、端ロック部４７に加えて、側方ロック部４８も設けることにより、コネクタ嵌合状態にて、プラグコネクタ２を上記配列方向で傾斜させるような抜出力に対しては主に端ロック部４７で対抗でき、そしてプラグコネクタ２をコネクタ幅方向で傾斜させるような抜出力に対しては主に側方ロック部４８で対抗できる。この結果、コネクタ１，２同士の不用意な抜けをより確実に防止できる。また、端ロック部４７のみでコネクタ１，２同士の不用意な抜出力に十分に対抗できる場合には、側方ロック部４８を設けることは必須ではない。
【００４１】
基部４１は、回路基板の実装面に対して平行な板部で形成されており、コネクタ幅方向で側壁１４の位置から端壁１５の中央位置にまでわたって延びている。図１及び図２（Ｂ）に見られるように、基部４１は、ハウジング１０の端壁１５の上下方向にて端案内面１５Ａの下縁近傍の高さ位置で該端壁１５内に埋設されている。
【００４２】
内側脚部４２は、底壁１１の底面と同じ高さ位置にまで延びており、その下端部を除く部分で端壁１５に埋設保持されている。該内側脚部４２の下端部は、底凹部１１Ａから突出しており、回路基板の対応部に対して半田接続により固定されるようになっている。また、該内側脚部４２は、外側脚部４３と離反する側の板面に、上下方向での中間位置で段状に没した段部４２Ａが形成されている。ハウジング１０との一体モールド成形の際に該段部４２Ａに樹脂が流入して固化することにより、内側脚部４２のハウジング１０からの抜けが確実に防止されている。
【００４３】
外側脚部４３は、コネクタ幅方向でのレセプタクル端子２０，３０の外側腕部２３Ｃ，３３Ｃと同位置で、底壁１１の底面と同じ高さ位置にまで延びている。側板部４４も、コネクタ幅方向でのレセプタクル端子２０，３０の外側腕部２３Ｃ，３３Ｃと同位置、すなわち外側脚部４３と同位置で、底壁１１の底面と同じ高さ位置にまで延びている。連結部４５は、上記配列方向に延び外側脚部４３及び側板部４４の下部の対向縁部同士を連結している。外側脚部４３、側板部４４及び連結部４５は、側壁１４の側面に対して平行な一つの平坦面を形成する板部をなしており、その下端部を除く部分で側壁１４に埋設保持されている。
【００４４】
固定部４６は、上記配列方向で外側脚部４３、側板部４４及び連結部４５の下縁で屈曲されコネクタ幅方向外方に延びており、その下面で回路基板の対応部に対して半田接続により固定されるようになっている。このようにコネクタ幅方向外方へ延びる固定部４６を設けることにより、回路基板の実装面に対する固定部４６での実装面積を大きく確保でき、ロック金具４０を回路基板に対して確実に固定することができる。
【００４５】
また、本実施形態では、固定部４６は、上記配列方向での外側脚部４３、側板部４４及び連結部４５の範囲の全域にわたって延びているが、十分な固定強度が確保されているのであれば、固定部は必ずしも上記範囲の全域に形成されている必要はなく、該範囲の一部に形成されていてもよい。このとき、端ロック部４７でのロック強度の向上という点では上記配列方向で外側脚部４３を含む範囲に形成されることが好ましく、また、側方ロック部４８でのロック強度の向上という点では上記配列方向で側板部４４を含む範囲に形成されることが好ましい。また、本実施形態では、固定部４６はコネクタ幅方向外方に延びて形成されているが、これに代えて、コネクタ幅方向内方へ延びて形成されていてもよい。
【００４６】
本実施形態では、コネクタ幅方向に延びる固定部４６は、内側脚部４２及び外側脚部４３のうち外側脚部４３の下端から延びて設けられているが、該外側脚部４３に代えてあるいは該外側脚部４３とともに、内側脚部４２の下端から延びる固定部が形成されていてもよい。このとき、内側脚部４２の下端から固定部が延びる方向はコネクタ幅方向内方及び外方のいずれであってもよい。
【００４７】
端ロック部４７は、基部４１のコネクタ幅方向に延びる両側縁部のうち受入部１６側に位置する内側縁部におけるコネクタ幅方向中間位置に設けられている。該端ロック部４７は、上記内側縁部から下方へ向けて屈曲されて形成されており、図１及び図２（Ｂ）に見られるように、端壁１５の端案内面１５Ａの下縁近傍の高さ位置で該端壁１５の内面から露呈して受入部１６内に位置している。該端ロック部４７は、プラグコネクタとの嵌合状態にて、該端ロック部４７の下面（破断面）が後述のプラグロック金具７０の端被ロック部７９に対して上方で係止可能に位置し、対応ロック部としての該端被ロック部７９とコネクタ抜出方向でロックし合うようになっている（図６（Ｂ）参照）。
【００４８】
また、端ロック部４７は、上端側の湾曲部分に、プラグロック金具７０の端被ロック部７９を端ロック部４７とのロック位置へ案内するための端ロック案内面４７Ａが形成されている。図１及び図２（Ｂ）に見られるように、該端ロック案内面４７Ａは、端壁１５の端案内面１５Ａから突出している（図６（Ａ）をも参照）。
【００４９】
側方ロック部４８は、側板部４４と同じ幅寸法（上記配列方向での寸法）をもち、コネクタ幅方向内側の位置で該側板部４４の上縁から下方へ向けて折り返すように屈曲して形成されている。該側方ロック部４８は、図１及び図２（Ｂ）に見られるように、端ロック部４７と同じ高さ位置で、ハウジング１０の側壁１４の内面から露呈して受入部１６内に位置している。該側方ロック部４８は、プラグコネクタ２との嵌合状態にて、該側方ロック部４８の下面（破断面）がプラグロック金具７０の側方被ロック部７３Ａに対して上方で係止可能に位置し、対応ロック部としての該側方被ロック部７３Ａとコネクタ抜出方向でロックし合うようになっている（図５（Ｂ）参照）。
【００５０】
また、側方ロック部４８は、上端側の湾曲部分に、プラグロック金具７０の側方被ロック部７３Ａを側方ロック部４８とのロック位置へ案内するための側方ロック案内面４８Ａが形成されている。図１及び図２（Ｂ）に見られるように、該側方ロック案内面４８Ａは、側壁１４の側方案内面１４Ａから突出している（図５（Ａ）をも参照）。
【００５１】
［プラグコネクタ２の構成］
次に、図１ないし図３（Ａ），（Ｂ）に基づいてプラグコネクタ２の構成について説明する。図３（Ａ）は、図１のプラグコネクタ２を上下反転させて示した斜視図であり、図３（Ｂ）は、図３（Ａ）のプラグコネクタ２のハウジング５０を省略して示した斜視図である。プラグコネクタ２は、レセプタクルコネクタ１の受入部１６に適合した枠状の嵌合部（図３（Ａ）参照）を有しており、該嵌合部が受入部１６内に嵌入することにより、コネクタ１，２同士が嵌合接続されるようになっている。プラグコネクタ２は、略直方体外形をなすハウジング５０と、回路基板（図示せず）の実装面に対して平行をなすハウジング５０の長手方向を配列方向として該ハウジング５０に一体モールド成形により配列保持される複数のプラグ信号端子６０及びプラグロック金具７０とを有している。
【００５２】
ハウジング５０は、樹脂等の電気絶縁材で作られており、図１に見られるように、取付対象面である回路基板（図示せず）の実装面に対して平行な底面をもち上記配列方向を長手方向として延びる底壁５１と、該底壁５１から下方（図３（Ａ）では上方）へ起立する嵌合部としての周壁５３とを有している。該周壁５３は、互いに対向して配列方向に延びる二つの側壁５４と、該二つの側壁５４の端部同士を連結し上記配列方向に対して直角なコネクタ幅方向（ハウジング５０の短手方向）に延びる二つの端壁５５とを有している。周壁５３によって囲まれ図１での下方（図３（Ａ）では上方）に開口した空間は、レセプタクルコネクタ１の突壁１２を受け入れるための受入部５６（図３（Ａ）参照）を形成している。
【００５３】
図１に見られるように、底壁５１は、コネクタ幅方向での中央位置かつ上記配列方向での端部位置に、底面から没入した底凹部５１Ａが形成されている。また、図１に見られるように、端壁５５の外面には、コネクタ嵌合状態にてレセプタクルロック金具４０の端ロック部４７を受け入れるための被ロック凹部５５Ａが、後述のプラグロック金具７０の端被ロック部７９の上方位置（図３（Ａ）では下方位置）で上記外面から没入して形成されている。
【００５４】
プラグ信号端子６０は、帯状の金属板条片を板厚方向に屈曲して作られており、コネクタ幅方向で対称な二列をなして該ハウジング５０の長手方向に配列された状態で該ハウジング５０に保持されている。該プラグ信号端子６０は、図２（Ａ）及び図３（Ｂ）によく見られるように、側壁５４に保持されるＵ字状のＵ字状部６１と、該Ｕ字状部６１の二つの腕部のうち受入部５６側に位置する一方の腕部（後述の内側腕部６１Ｃ）の図２（Ａ）での上端（図３（Ｂ）での下端）から、コネクタ幅方向外方へ向けて延び回路基板の対応回路部に接続される接続部６２とを有している。図２によく見られるように、プラグ信号端子６０は、Ｕ字状部６１で、ハウジング５０との一体モールド成形により保持されている。
【００５５】
Ｕ字状部６１は、コネクタ嵌合状態にて、レセプタクルコネクタ１のレセプタクル信号端子２０の弾性腕部２２と内側腕部２３Ａとの間に突入する部分であり（図４（Ｂ）参照）、側壁５４を下方（図３（Ａ）での上方）から跨ぐようにして該側壁５４に埋設されている（図４（Ａ），（Ｂ）をも参照）。該Ｕ字状部６１は、図４（Ａ），（Ｂ）によく見られるように、側壁５４の外面に沿って下方へ延びる外側腕部６１Ａと、該外側腕部６１Ａの下端からコネクタ幅方向内側位置で上方へ向けて折り返される移行部６１Ｂと、該移行部６１Ｂを経て上方へ向けて延びる内側腕部６１Ｃとを有している。コネクタ幅方向でのＵ字状部６１の寸法は、レセプタクル端子２０の接触突部２２Ａとロック突部２３Ａ−１との間隔よりも若干大きくなっている。
【００５６】
Ｕ字状部６１の外側腕部６１Ａは、側壁５４の外面から板面が露呈していて、その露呈した板面に、段状をなし該外側腕部６１Ａの幅方向（上記配列方向）に延びる被ロック段部６１Ａ−１が形成されており、該被ロック段部６１Ａ−１がレセプタクル信号端子２０のロック突部２３Ａ−１と係止するようになっている。移行部６１Ｂは、下方へ向けて凸湾曲しており、該移行部６１Ｂの下面が側壁５４から露呈している。Ｕ字状部６１の内側腕部６１Ｃは、側壁５４の内面から受入部５６へ向けて板面が露呈していて、その露呈した板面が、コネクタ嵌合状態にてレセプタクルコネクタ１のレセプタクル信号端子２０の接触突部２２Ａと接圧をもって接触する対応接触部として形成されている。
【００５７】
接続部６２は、図２（Ａ）に見られるように、内側腕部６１Ｃの上端から底壁５１の底面に沿ってコネクタ幅方向外方へ向けて直状に延び、ハウジング５０外へ延出しており、回路基板の対応回路部に半田接続可能となっている。
【００５８】
プラグロック金具７０は、レセプタクルコネクタ１のレセプタクルロック金具４０に対応して、上記配列方向でのハウジング１０の各端部に二つずつ設けられている。具体的には、二つのプラグロック金具７０は、ハウジング５０の各端部にて、コネクタ幅方向で互いに対称な姿勢をなして隣接している。該プラグロック金具７０は、レセプタクルコネクタ１のロック金具４０とロックするロック機能に加えて、レセプタクルコネクタ１のレセプタクル電源端子３０と接触して電気的に導通する電源端子としての機能をも有している。
【００５９】
プラグロック金具７０は、金属板部材を板厚方向に屈曲して作られており、図２（Ａ）に示されるように、コネクタ幅方向に延びる基部７１と、該基部７１のコネクタ幅方向での両端部からそれぞれ上方へ延びる内側脚部７２及び外側脚部７３と、該外側脚部７３よりも上記配列方向内側に位置する側板部７４と、外側脚部７３及び側板部７４の上部（図３（Ａ），（Ｂ）では下部）同士を連結する連結部７５と、側板部７４の下端で上方へ向けて折り返された移行部７６と、該移行部７６を経て上方へ向けて延びる接触板部７７と、該接触板部７７の上縁で屈曲されコネクタ幅方向へ延びる接続部７８と、基部７１の縁部に設けられた端被ロック部７９とを有している。また、外側脚部７３及び側板部７４の外側の板面にはそれぞれ後述の側方被ロック部７３Ａ，７４Ａが形成されている。
【００６０】
基部７１は、回路基板の実装面に対して平行な板部で形成されており、コネクタ幅方向で側壁５４の位置から端壁５５の中央位置にまでわたって延びている。図３（Ａ）によく見られるように、基部７１は、ハウジング５０の端壁５５の上面（図１，図２（Ａ）では下面）で露呈しており、該基部７１の上面が端壁５５の上面と相俟って一つの平面を形成している。換言すると、基部７１の上面が端壁５５の上面と同一レベル面を形成するように露呈している。
【００６１】
内側脚部７２は、該基部７１のコネクタ幅方向内側の端部から上方（図３（Ｂ）では下方）へ向けて底壁５１の底面と同じ高さ位置にまで延びており、その上端部を除く部分で端壁５５に埋設保持されている。該内側脚部の上端部は、図１及び図２（Ａ）に見られるように底凹部５１Ａ内へ突出しており、回路基板の対応部に対して半田接続により固定されるようになっている。また、内側脚部７２は、外側脚部７３と離反する側の板面に、上下方向での中間位置で段状に没した段部７２Ａが形成されている（図５（Ａ），（Ｂ）参照）。ハウジング５０との一体モールド成形の際に該段部７２Ａに樹脂が流入して固化することにより、内側脚部７２のハウジング５０からの抜けが確実に防止されている。
【００６２】
外側脚部７３は、コネクタ幅方向でのプラグ信号端子６０の外側腕部６１Ａと同位置で、該基部７１のコネクタ幅方向外側の端部から上方（図３（Ｂ）では下方）へ向けて延びている。該外側脚部７３は、配列方向内方へ向けても延びており、外面（内側脚部と離反する側の板面）に、上下方向中間位置で上記配列方向全域にわたって延びる段状の側方被ロック部７３Ａが形成されている。該側方被ロック部７３Ａは、レセプタクルコネクタ１との嵌合状態にて、レセプタクルロック金具４０の側方ロック部４８の下方に位置し、対応ロック部としての該側方ロック部４８とロックし合うようになっている（図５（Ｂ）参照）。
【００６３】
また、図３（Ａ），（Ｂ）に見られるように、外側脚部７３は、上端側の湾曲部分（図３（Ａ），（Ｂ）にて側方被ロック部７３Ａよりも上方に位置する部分）に、レセプタクルロック金具４０の側方ロック部４８を側方被ロック部７３Ａとのロック位置へ案内するための側方ロック案内面７３Ｂが形成されている。該側方ロック案内面７３Ｂは、図３（Ａ）に見られるように、ハウジング５０の側壁５４のの上部の表面と同一レベル面を形成するように露呈している。
【００６４】
側板部７４は、コネクタ幅方向でのプラグ信号端子６０の外側腕部６１Ａと同位置で、すなわち外側脚部７３と同位置で、上方（図３（Ｂ）では下方）へ向けて延びている。該側板部７４の外面には、外側脚部７３の側方被ロック部７３Ａと同じ高さ位置で上記配列方向全域にわたって延びる段状の側方被ロック部７４Ａが形成されている。該側方被ロック部７４Ａは、レセプタクルコネクタ１との嵌合状態にて、レセプタクル電源端子３０の二つのロック突部３３Ａ−１の下方に位置し、対応ロック部としての該ロック突部３３Ａ−１とロックし合うようになっている。
【００６５】
また、図３（Ａ），（Ｂ）に見られるように、側板部７４は、上端側の湾曲部分（図３（Ａ），（Ｂ）にて側方被ロック部７４Ａよりも上方に位置する部分）に、レセプタクル電源端子３０の二つのロック突部３３Ａ−１を側方被ロック部７４Ａとのロック位置へ案内するための側方ロック案内面７４Ｂが形成されている。該側方ロック案内面７４Ｂは、図３（Ａ）に見られるように、ハウジング５０の側壁５４の上部の表面と同一レベル面を形成するように露呈している。
【００６６】
連結部７５は、上記配列方向に延び外側脚部７３及び側板部７４の上部（図３（Ａ），（Ｂ）では下部）の対向縁部同士を連結している。外側脚部７３、側板部７４及び連結部７５は、側壁５４の側面に対して平行な一つの平坦面を形成する板部をなしており、該板部のコネクタ幅方向外側の板面が該側壁５４から露呈している。
【００６７】
移行部７６は、側板部７４の下端（図３（Ａ）では上端）からコネクタ幅方向内側位置で上方へ向けて折り返されるように屈曲されていて、下方（図３（Ａ）では上方）へ向けて凸湾曲しており、該移行部７６の下面が側壁５４から露呈している（図３（Ａ）参照）。接触板部７７は、側壁５４の内面に沿って上方へ向けて延びており、該接触板部７７の内面（側板部７４から離反する側の板面）が側壁５４の内面から露呈している。接触板部７７の上記内面は、コネクタ嵌合状態にてレセプタクルコネクタ１のレセプタクル電源端子３０の接触突部３２Ａと接圧をもって接触する対応接触部として形成されている。
【００６８】
接続部７８は、ハウジング５０の底壁５１の底面と同じ高さ位置で接触板部７７の上端（図３（Ａ），（Ｂ）では下端）からコネクタ幅方向外方へ向けて直状に延びており、自由端側部分がハウジング外へ延出している。該接続部７８は、回路基板の対応回路部に半田接続されるようになっている。
【００６９】
端被ロック部７９は、基部７１のコネクタ幅方向に延びる両側縁部のうち受入部５６から離反する側に位置する外側縁部に設けられている。該端被ロック部７９は、上記外側縁部から上方（図３（Ａ），（Ｂ）では下方）へ向けて屈曲されて形成されており、図１及び図３（Ａ），（Ｂ）に見られるように、ハウジング５０の端壁５５の外面から露呈している。該端被ロック部７９は、レセプタクルコネクタ１との嵌合状態にて、該端被ロック部７９の上面（破断面）が後述のレセプタクルロック金具４０の端ロック部４７の下方に位置し、対応ロック部としての該端ロック部４７とロックし合うようになっている（図６（Ｂ）参照）。
【００７０】
また、図３（Ａ），（Ｂ）に見られるように、端被ロック部７９は、上端側の湾曲部分に、レセプタクルロック金具４０の端ロック部４７を、端被ロック部７９とのロック位置へ案内するための端ロック案内面７９Ａが形成されている。図３（Ａ）に見られるように、該端ロック案内面７９Ａは、端壁５５の上部の表面から突出している（図６（Ａ）をも参照）。
【００７１】
本実施形態において、プラグロック金具７０は、ロック金具しての機能に加えて電源端子としての機能をも有していることとしたが、これに代えて、例えば連結部７５を省略して、電源端子としての機能を有する別部材（側板部７４、移行部７６、接触板部７７及び接続部７８を有する部材）を設けてもよい。
【００７２】
また、本実施形態におけるプラグロック金具７０には、接続部７８を除き、回路基板の対応部に半田固定するための固定部が設けられていないが、例えば、そのような固定部を、内側脚部７２及び外側脚部７３の少なくとも一方の脚部の端部（回路基板側の端部）からコネクタ幅方向に延びるように設けてもよい。このとき、固定部が延びる方向はコネクタ幅方向内方及び外方のいずれであってもよい。
【００７３】
［コネクタの嵌合動作］
次に、図１及び図４ないし図６に基づいて、コネクタ１，２の嵌合動作について説明する。図４及び図５は、レセプタクルコネクタ１及びプラグコネクタ２の配列方向に対して直角な面での断面図であり、図４はレセプタクル信号端子の位置での断面をそして図５はレセプタクルロック金具の位置での断面を示している。図６は、図１のレセプタクルコネクタ１及びプラグコネクタ２のコネクタ幅方向に対して直角な面での断面図であり、コネクタ幅方向中央位置での断面を示している。また、図４（Ａ），図５（Ａ），図６（Ａ）は、コネクタ嵌合前の状態を、そして図４（Ｂ），図５（Ｂ），図６（Ｂ）は、コネクタ嵌合状態を示している。
【００７４】
まず、レセプタクルコネクタ１のレセプタクル端子２０，３０の接続部２４，３４を回路基板の対応回路部へ半田接続するとともに、レセプタクルロック金具４０の内側脚部４２の下端部及び固定部４６を回路基板の対応部へ半田接続して、レセプタクルコネクタ１を回路基板に実装する。また、プラグコネクタ２のプラグ信号端子６０の接続部６２及びプラグロック金具７０の接続部７８を他の回路基板の対応回路部へ半田接続するとともに、プラグロック金具７０の内側脚部７２の図１での上端部（図３（Ａ），（Ｂ）では下端部）を上記他の回路基板の対応部へ半田接続して、プラグコネクタ２を上記他の回路基板に実装する。
【００７５】
次に、図１，図４（Ａ），図５（Ａ），図６（Ａ）に見られるように、レセプタクルコネクタ１を受入部１６が上方へ開口した姿勢とするとともに、プラグコネクタ２を受入部５６が下方へ開口した姿勢として該レセプタクルコネクタ１の上方位置へもたらす。そして、図１，図４（Ａ），図５（Ａ），図６（Ａ）にて矢印で示されるように、プラグコネクタ２を下方へ移動させ、該プラグコネクタ２の嵌合部をレセプタクルコネクタ１の受入部１６内へ嵌入させる。
【００７６】
このとき、レセプタクルロック金具４０の端ロック案内面４７Ａそして側方ロック案内面４８Ａは、それぞれプラグロック金具７０の端被ロック部７９そして側方被ロック部７３Ａを、端ロック部４７そして側方ロック部４８とのロック位置へ案内する。また、レセプタクル電源端子３０の側方ロック案内面３３Ａ−２は、プラグロック金具７０の側方被ロック部７４Ａをロック突部３３Ａ−１とのロック位置へ案内する。
【００７７】
一方、プラグロック金具７０の端ロック案内面７９Ａそして側方ロック案内面７３Ｂは、それぞれレセプタクルロック金具４０の端ロック部４７そして側方ロック部４８を、端被ロック部７９そして側方被ロック部７３Ａとのロック位置へ案内する。また、プラグロック金具７０の側方ロック案内面７４Ｂは、レセプタクル電源端子３０のロック突部３３Ａ−１を側方被ロック部７４Ａとのロック位置へ案内する。
【００７８】
本実施形態では、各ロック案内面４７Ａ、４８Ａ，３３Ａ−２，７９Ａ，７３Ｂ，７４Ｂは、ハウジング１０，５０の表面から突出しているか、あるいは該表面と同一レベル面を形成するように露呈している。したがって、相手コネクタの対応ロック部は、ハウジング１０，５０ではなく、該ハウジング１０，５０よりも強度の高いロック金具４０，７０に形成された上記ロック案内面に摺接して、上記ロック位置へ案内されることとなる。このように、本実施形態によれば、ハウジング１０，５０には上記対応ロック部が摺接することがないので、該ハウジング１０，５０の損傷を回避できる。
【００７９】
プラグコネクタ２の嵌合部をレセプタクルコネクタ１の受入部１６内へ嵌入させると、プラグコネクタ２のプラグ信号端子６０のＵ字状部６１は、レセプタクルコネクタ１のレセプタクル信号端子２０の接触突部２２Ａおよびロック突部２３Ａ−１との間を押し拡げて突入する。そして、弾性腕部２２がコネクタ幅方向で内方へ向けて弾性変位する。さらに、Ｕ字状部６１の突入が進行すると、図４（Ｂ）に示されるように、コネクタ嵌合状態にて、接触突部２２ＡがＵ字状部６１の内側腕部６１Ｃ（対応接触部）と接圧をもって接触するとともに、ロック突部２３Ａ−１が該外側腕部６１Ａの被ロック段部６１Ａ−１とコネクタ抜出方向で係止する。この結果、コネクタ１，２の信号端子２０，６０同士が電気的に導通するとともに互いにロックされる。
【００８０】
図示はされていないが、レセプタクルコネクタ１のレセプタクル電源端子３０とプラグコネクタ２のプラグロック金具７０における電源端子の機能を有する部分との接触及びロックも、信号端子２０，６０について上述した要領と同じ要領で行われる。その結果、コネクタ嵌合状態にて、レセプタクル電源端子３０の接触突部３２Ａがプラグロック金具７０の接触板部７７（対応接触部）と接圧をもって接触するとともに、レセプタクル電源端子３０のロック突部３３Ａ−１がプラグロック金具７０の側板部７４の側方被ロック部７４Ａとコネクタ抜出方向で係止する。
【００８１】
また、図５（Ｂ）に示されるように、コネクタ嵌合状態にて、レセプタクルロック金具４０の側方ロック部４８がプラグロック金具７０の側方被ロック部７３Ａの上方で該側方被ロック部７３Ａに対してコネクタ抜出方向で係止可能に位置する。また、図６（Ｂ）に示されるように、コネクタ嵌合状態にて、レセプタクルロック金具４０の端ロック部４７がプラグロック金具７０の端被ロック部７９の上方で該端被ロック部７９に対してコネクタ抜出方向で係止可能に位置する。この結果、レセプタクルロック金具４０とプラグロック金具７０とが互いにロックされる。このようにして、コネクタ１，２同士の嵌合接続動作が完了する。
【００８２】
本実施形態では、レセプタクルコネクタ１のハウジング１０の上記配列方向での各端部にて、コネクタ幅方向で互いに隣接する二つのロック金具４０が保持されており、また、プラグコネクタ２のハウジング５０の上記配列方向での各端部にて、コネクタ幅方向で互いに隣接する二つのロック金具７０が保持されている。したがって、ハウジング１０，５０のコネクタ幅方向全域にわたり一つのロック金具が設けられている場合と比較して、コネクタ幅方向でのロック金具４０，７０の一つ当たりの寸法が小さい。つまり、コネクタ幅方向でロック金具４０，７０の基部４１，７１が短くなり、これは、基部４１，７１における撓み変形時の腕長が短いことを意味する。したがって、ロック金具４０，７０の端ロック部４７，端被ロック部７９同士が係止して、上記基部４１，７１にコネクタ抜出方向へ向けた外力が作用しても、該基部４１，７１は板厚方向に撓み変形しにくい。また、上述したように基部４１，７１の撓み変形時における該基部４１，７１の腕長が短いと、固定された脚部４２，４３，７２，７３で生じる応力が小さくなる。この結果、端ロック部４７，端被ロック部７９同士さらには側方ロック部４８，側方被ロック部７３Ａ同士の係止状態（ロック状態）をも確実に維持できる。
【００８３】
また、ロック金具４０，７０の各脚部４２，４３，７２，７３は、基部４１，７１のコネクタ幅方向での両端部から回路基板側へ向けて延びて設けられており、従来のように固定部が基部よりも上記配列方向での外側に位置していない。したがって、ロック金具４０，７０ひいてはコネクタ１，２が上記配列方向で大型化することがない。
【００８４】
本実施形態では、ロック金具４０，７０の脚部４２，４３，７２，７３が一体モールド成形によりハウジング１０，５０に固定されるとともに、内側脚部４２，７２がさらに回路基板にも固定されることとしたが、脚部４２，４３，７２，７３の固定の形態はこれに限られず、ハウジング及び回路基板の少なくとも一方に固定されていればよい。
【００８５】
本実施形態では、ロック金具４０，７０はハウジング１０，５０に一体モールド成形により保持されているが、これに代えて、例えば、ハウジングに保持溝部を設けて該保持溝部内へロック金具を圧入することにより該ロック金具を保持することとしてもよい。このとき、ロック金具の各脚部は、ハウジング及び回路基板の少なくとも一方に対して固定される。
【００８６】
本実施形態では、ロック金具４０，７０は、それぞれ端ロック部４７，端被ロック部７９に加えて、側方ロック部４８，側方被ロック部７３Ａをも有していることとしたが、これに代えて、端ロック部のみを有することとしてもよい。また、ロック金具に端ロック部のみを設ける場合、側方ロック部を有する部材を上記ロック金具とは異なる別部材として設けることもできる。
【００８７】
本実施形態では、ロック案内面４７Ａ、４８Ａ，７３Ｂはハウジング１０あるいはハウジング５０の表面から突出しているが、これに代えて、該表面と同一レベル面を形成するように露呈していてもよい。また、本実施形態では、ロック案内面３３Ａ−２，７９Ａ，７４Ｂは、ハウジング１０，５０の表面と同一レベル面を形成するように露呈しているが、これに代えて、該表面から突出していてもよい。
【００８８】
＜第二実施形態＞
第一実施形態では、ロック金具４０，７０のそれぞれの端ロック部４７，端被ロック部７９が基部４１，７１の縁部に設けられていたが、第二実施形態では、ロック金具の基部の縁部から脚部が延びていて、該脚部に端ロック部が設けられており、その点で第一実施形態と異なっている。第二実施形態では、第一実施形態と対応する部分には第一実施形態での符号に「１００」を加えた符号を付している。以下、第一実施形態との相違点であるロック金具の形状を中心に説明する。
【００８９】
図７は、第二実施形態に係るレセプタクルコネクタ１０１及びこれに対して上方から嵌合されるプラグコネクタ１０２の斜視図であり、コネクタ嵌合前の状態を示している。図８（Ａ）は、図７のレセプタクルコネクタ１０１の上記配列方向に対して直角な面での断面斜視図であり、図８（Ｂ）は図７のプラグコネクタ１０２の上記配列方向に対して直角な面での断面斜視図である。この図８（Ａ），（Ｂ）では、それぞれ配列方向中央位置での断面を示しており、左半部にてハウジング１１０，１５０を省略した状態を示し、右半部の下方位置に該右半部で保持されるロック金具１４０，１７０を示している。また、図９（Ａ）は図７のプラグコネクタ１０２を上下反転させて示した斜視図であり、図９（Ｂ）は図９（Ａ）のプラグコネクタ１０２のハウジング１５０を省略して示した斜視図である。
【００９０】
図８（Ｂ）によく見られるように、レセプタクルコネクタ１０１に設けられたレセプタクルロック金具１４０は、第一実施形態のレセプタクルロック金具４０から内側脚部４２を省略するとともに、後述のロック脚部１４０Ａ及び固定部１４０Ｂを設けたような形状をなしている。
【００９１】
基部１４１は、回路基板の実装面に対して平行な板部で形成されており、コネクタ幅方向に延びている。図７及び図８（Ｂ）によく見られるように、基部１４１は、ハウジング１１０の端壁１１５の上面で露呈しており、該基部１４１の上面が端壁１１５の上面と同一レベル面を形成するように露呈している。
【００９２】
ロック脚部１４０Ａは、図７及び図８（Ｂ）に見られるように、基部１４１の内側縁部（上記配列方向で受入部１１６側に位置する縁部）から下方へ向けて延びている。該ロック脚部１４０Ａは、ハウジング１１０の端壁１１５の内側端壁面（受入部１１６側の壁面）で露呈しており、該ロック脚部１４０Ａの板面が上記内側端壁面と同一レベル面を形成している。ロック脚部１４０Ａの上部の板面には、上記配列方向での内方、すなわち上記受入部１１６側へ突出する突起状の端ロック部１４７が形成されている。該端ロック部１４７は、例えば、プレス加工等により形成されており、その幅寸法（コネクタ幅方向での寸法）はロック脚部１４０Ａの幅寸法より小さくなっている。
【００９３】
また、ロック脚部１４０Ａは、上端側の湾曲部分（図７及び図８（Ｂ）にて端ロック部１４７よりも上方に位置する部分）に、プラグコネクタ１０２の端被ロック部１７９を端ロック部１４７とのロック位置へ案内するための端ロック案内面１４０Ａ−１が形成されている。
【００９４】
固定部１４０Ｂは、図８（Ｂ）に見られるように、ロック脚部１４０Ａの下縁で屈曲され上記配列方向で外方へ延びており、その下面で回路基板の対応部に対して半田接続により固定されるようになっている。このように、端ロック部１４７が形成されているロック脚部１４０Ａの下縁から延びるように固定部１４０Ｂを設けることにより、プラグロック金具１７０の端被ロック部１７９に対する端ロック部１４７のロック強度を向上させることができる。
【００９５】
また、本実施形態では、固定部１４０Ｂの先端は上記配列方向で基部１４１の外側縁部よりも内側に位置している。つまり、固定部１４０Ｂは上記配列方向で上記基部１４１よりも外側までは延びておらず、これによって、上記配列方向でのレセプタクルロック金具１４０ひいてはレセプタクルコネクタ１０１の大型化を回避できる。
【００９６】
図８（Ａ）及び図９（Ａ），（Ｂ）によく見られるように、プラグコネクタ１０２に設けられたプラグロック金具１７０は、第一実施形態のプラグロック金具７０に、後述のロック脚部１７０Ａを設けたような形状をなしている。
【００９７】
図９（Ａ），（Ｂ）に見られるように、ロック脚部１７０Ａは、基部１７１の外縁部（上記配列方向で受入部１５６から離反する側に位置する側縁部）から下方（図７及び図８（Ａ），（Ｂ）では上方）へ向けて延びている。該ロック脚部１７０Ａは、ハウジング１５０の端壁１５５の外側端壁面（受入部１５６とは反対側の壁面）で露呈しており、該ロック脚部１７０Ａの板面が、上記外側端壁面のうち該ロック脚部１７０Ａに隣接する領域の面と同一レベル面を形成している。
【００９８】
図９（Ａ），（Ｂ）に見られるように、ロック脚部１７０Ａの上部の板面には、上記配列方向での外方へ突出する突起状の端被ロック部１７９が形成されている。該端被ロック部１７９は、例えば、プレス加工等により形成されており、その幅寸法（コネクタ幅方向での寸法）はロック脚部１７０Ａの幅寸法より小さくなっている。
【００９９】
また、ロック脚部１７０Ａは、上端側の湾曲部分（端被ロック部１７９よりも上方に位置する部分）に、レセプタクルコネクタ１０１の端ロック部１４７を端被ロック部１７９とのロック位置へ案内するための端ロック案内面１７０Ａ−１が形成されている。
【０１００】
また、図９（Ａ），（Ｂ）に見られるように、ロック脚部１７０Ａの下端部には、両側の側縁部（上下方向に延びる縁部）から突出する突起１７０Ｂが形成されている。該突起１７０Ｂは、図９（Ａ）に見られるように、端壁１５５の被ロック凹部１５５Ａの側縁部に係止して上方（図７では下方）への移動が阻止されるようになっている。該突起１７０Ｂを設けることにより、レセプタクルロック金具１４０の端ロック部１４７に対する端被ロック部１７９のロック強度を向上させることができる。
【０１０１】
図１０は、図７のレセプタクルコネクタ１０１及びプラグコネクタ１０２のコネクタ幅方向に対して直角な面での断面図であり、コネクタ幅方向中央位置での断面を示しており、（Ａ）はコネクタ嵌合前の状態、（Ｂ）はコネクタ嵌合状態を示している。本実施形態におけるコネクタ嵌合動作も、第一実施形態にて既述したのと同様の要領で、レセプタクルコネクタ１０１の受入部１１６へプラグコネクタ１０２の嵌合部（周壁１５３（図７参照））を嵌入させることにより行われる（図１０（Ａ）の矢印）。図１０（Ｂ）に示されるように、コネクタ嵌合状態では、レセプタクルロック金具１４０の端ロック部１４７がプラグロック金具１７０の端被ロック部１７９の上方で該端被ロック部１７９に対してコネクタ抜出方向で係止可能に位置する。この結果、レセプタクルロック金具１４０とプラグロック金具１７０とが互いにロックされる。
【０１０２】
本実施形態では、端ロック部１４７はロック脚部１４０Ａの板面から、そして端被ロック部１７９はロック脚部１７０Ａの板面から突出して形成されているので、端ロック部１４７と端被ロック部１７９とが互いに係止し合う係止面は滑らかな面となっている。したがって、第一実施形態の端ロック部４７及び端被ロック部７９のように破断面（板厚面）で形成された係止面同士を係止させる場合と比べて、ロック解除動作を円滑に行うことができる。
【０１０３】
また、本実施形態では、既述したように、ロック案内面１４０Ａ−１，１７０Ａ−１はハウジング１１０あるいはハウジング１５０の表面と同一レベル面を形成して露呈している。したがって、コネクタ嵌合過程にて、レセプタクルロック金具１４０の端ロック部１４７がプラグロック金具１７０の端ロック案内面１７０Ａ−１に摺接しながらロック位置へ案内されるとともに、プラグロック金具１７０の端被ロック部１７９がレセプタクルロック金具１４０の端ロック案内面１４０Ａ−１に摺接しながらロック位置へ案内される。この結果、端ロック部１４７がプラグコネクタ１０２のハウジング１５０に摺接したり、端被ロック部１４９がレセプタクルコネクタ１０１のハウジング１１０に摺接することがないので、該ハウジング１５０，１１０の損傷を回避できる。また、ロック案内面１４０Ａ−１，１７０Ａ−１はハウジング１１０あるいはハウジング１５０の表面から突出していてもよい。
【符号の説明】
【０１０４】
１，１０１  レセプタクルコネクタ        ７０，１７０  プラグロック金具
２，１０２  プラグコネクタ              ７１，１７１  基部
１０，１１０  ハウジング                ７２，１７２  内側脚部
２０，１２０  レセプタクル信号端子      ７３，１７３  外側脚部
３０，１３０  レセプタクル電源端子      ７３Ａ，１７３Ａ  側方被ロック部
４０，１４０  レセプタクルロック金具    ７３Ｂ，１７３Ｂ  側方ロック案内面
４１，１４１  基部                      ７４，１７４  側板部
４２  内側脚部                          ７４Ａ，１７４Ａ  側方被ロック部
４３，１４３  外側脚部                  ７４Ｂ，１７４Ｂ  側方ロック案内面
４６，１４６  固定部                    ７９，１７９  端被ロック部
４７，１４７  端ロック部                ７９Ａ  端ロック案内面
４７Ａ  端ロック案内面                  １４０Ａ  ロック脚部
４８，１４８  側方ロック部              １４０Ａ−１  端ロック案内面
４８Ａ，１４８Ａ  側方ロック案内面      １４０Ｂ  固定部
４４，１４４  側板部                    １７０Ａ  ロック脚部
５０，１５０  ハウジング                １７０Ａ−１  端ロック案内面
６０，１６０  プラグ信号端子
【図１】
0006051242.tif 000002
【図２】
0006051242.tif 000003
【図３】
0006051242.tif 000004
【図４】
0006051242.tif 000005
【図５】
0006051242.tif 000006
【図６】
0006051242.tif 000007
【図７】
0006051242.tif 000008
【図８】
0006051242.tif 000009
【図９】
0006051242.tif 000010
【図１０】
0006051242.tif 000011